(57)【要約】      （修正有）【課題】大型のAC電源アダプターなどを差し込んでも、隣の端子差込穴が覆われず全ての端子差込穴を使用可能にし、差込方向が異なる大型AC電源アダプター等も同一方向に整列して使用できるテーブルタップを提供する。【解決手段】複数組のコンセントプラグ（２）の間隔をスライドすることにより広げたり複数組のコンセントプラグ（２）をタップベース（１）より取り外し可能にし、９０度回転出来ることにより異方向の大型AC電源アダプター等も同一方向に整列して差し込めることを可能とする。【選択図】図１
2006310284.tif 000002
【特許請求の範囲】
【請求項１】
コンセントに接続する電源コードを備えたタップベースと、
前記タップベース部材と別体に形成されたブロック状のコンセントプラグと、
前記コンセントプラグを前記タップベースに脱着自在に係止する係止手段と、
前記タップベースを前記コンセントプラグに電気的に接続する継電部とを
備えたことを特徴とするテーブルタップ。
【請求項２】
前記係止手段は、
前記コンセントプラグ(又は前記テーブルタップ)に凸状に形成されたガイド部と、
前記テーブルタップ(又は前記コンセントプラグ)に凹状に形成されたスライド溝とを備え、
前記スライド溝は、その一端が開放され、前記ガイド部が挿脱可能であることを特徴とする
請求項１記載のテーブルタップ。
【請求項３】
コンセントプラグは平面視で正方形状のブロックに形成されており、
前記ガイド部(又は前記スライド溝)は、前記コンセントプラグのすべての側面に形成されていることを特徴とする請求項２記載のテーブルタップ。
【請求項４】
前記タップベースは、
一端が開放され、前記コンセントプラグが脱着可能な脱着溝と、
前記脱着溝の側面に形成されたレール状に形成された前記ガイド部(又は長溝状に形成された前記スライド溝)を備えていることを特徴とする請求項２又は３記載のテーブルタップ。
【請求項５】
前記継電部は、前記コンセントプラグと前記タップベースとを接続するコードであることを特徴とする請求項１及至４の何れか一テーブルタップ。
【請求項６】
前記継電部は、
前記コンセントプラグに設けられた第１の接触端子と、
前記タップベースに設けられた第２の接触端子と、を備え、
前記第１及び第２の接触端子は、前記コンセントプラグが前記タップベースに装着された状態で互いに接触することにより電気的に接続されることを特徴とする請求項１及至
５の何れか一テーブルタップ。
【発明の詳細な説明】
【技術分野】
【０００１】
本発明は、パソコン、テレビ、オーディオ機器などの複数の電気機器を接続して、それぞれに電力を供給するために使用される継電器であるテーブルタップ に関し、特に、複数設けられたコンセント部の間隔などの相互位置関係を自在に変更することが可能なテーブルタップ に関する。
【背景技術】
【０００２】
従来のテーブルタップは、メス型プラグとオス型プラグとの接触により、給電する構成となっており、受け側のメス型プラグはベースに固定された構成である。
【特許文献１】特開  ２００１−２３７３９号公報
【発明の開示】
【発明が解決しようとする課題】
【０００３】
しかしながら、上記従来のテーブルタップでは、大型のＡＣアダプタなどを挿入した場合などは、隣接するコンセントの差し込み穴がＡＣアダプタなどに覆われてしまい、隣接する差し込み穴を使用することができなくなるという問題がある。また、ＡＣアダプタは形状の仕様が様々であり、挿入の方向も同一でないものが多く、整列したテーブルタップの形状に収めることが困難な場合がある。
【０００４】
そこで、本発明の目的は、コンセントに差し込むプラグの形状によらず、すべてのコンセントを常に使用可能とし、また、プラグの形状に適応してコンセント穴の位置を自在に変更することが可能なテーブルタップを提供することにある。
【課題を解決するための手段】
【０００５】
本発明のテーブルタップの第１の構成は、コンセントに接続する電源コードを備えたタップベースと、前記タップベース部材と別体に形成されたブロック状のコンセントプラグと、前記コンセントプラグを前記タップベースに脱着自在に係止する係止手段と、前記タップベースを前記コンセントプラグに電気的に接続する継電部と、を備えた事を特徴とする。
【０００６】
この構成により、コンセントプラグがタップベースと別体であり、係止手段によりコンセントプラグをタップベースに脱着できるため、コンセントに差し込まれるプラグ形状に応じてコンセントプラグをタップベースから脱着して使用することが可能となる。従って、どのような形状のプラグであってもすべてのコンセントを有効に利用することが可能となる。
【０００７】
本発明のテーブルタップの第２の構成は、前記第１の構成において、前記係止手段は、前記テーブルタップ (又は前記タップベース)に凸状に形成されたガイド部と、前記テーブルタップ(又は前記コンセントプラグ)に凹状に形成されたスライド溝と、を備え、前期スライド溝は、その一端が開放され、前記ガイド部が挿脱可能であることを特徴とする。
【０００８】
この構成により、タップベースの凸状の溝と、プラグコンセントの凹状の溝とが摺合し移動することで、形状の違うACアダプターなどの使用の際、移動しての使用が可能となる。
【０００９】
本発明のテーブルタップの第３の構成は、前記第２の構成において、コンセントプラグは平面視で正方形状のブロックに形成されており、前記ガイド部(又は前記スライド溝)は、前記コンセントプラグのすべての側面に形成されていることを特徴とする。
【００１０】
この構成により、コンセントプラグを平面視で正方形状のブロックとし、ガイド部（又
はスライド部）をコンセントプラグのすべての側面に形成することで、コンセントプラグ
を９０°回転させてタップベースに装着することが可能となる。
【００１１】
本発明のテーブルタップの第４の構成は、前記第2又は３の構成において、前記タップ
ベースは、端が開放され、前記コンセントプラグが脱着可能な脱着溝と、前記脱着溝の
側面に形成されたレール状に形成された前記ガイド部（又は長溝状に形成された前記スラ
イド溝）を備えていることを特徴とする。
【００１２】
この構成により、プラグコンセントの移動が容易にでき、異なった大きさのACアダプター
が隣の挿入口を覆う事を、プラグコンセントの移動により回避する事が可能となる。
【００１３】
本発明のテーブルタップの第5の構成は、前記第1乃至４の何れか一の構成において、
前記継電部は、前記コンセントプラグと前記タップベースとを接続するコードであること
を特徴とする。
【００１４】
この構成により、タップベースよりそれぞれのコンセントプラグへ給電することが出来るほか
プラグコンセントがスライドする時も電源を安定して供給する事が可能となる。
【００１５】
本発明のテーブルタップの第6の構成は、前記第1乃至５の何れか一の構成において、
前記継電部は、前記コンセントプラグに設けられた第1の接触端子と、前記タップベース
に設けられた第2の接触端子を備え、前記第1及び第2の接触端子は、前記コンセン
トプラグが前記タップベースに装着された状態で互いに接触することにより電気的に接続
されることを特徴とする。
【００１６】
この構成により、スライド時にも安定してプラグコンセントに給電され、コンセントプラグの対角位置に接触端子を設けている為、９０度回転した際も電源を供給することが可能となる。
【発明の効果】
【００１７】
以上のように、本発明のテーブルタップによれば、コンセントに差し込むプラグの形状
によらず、すべてのコンセントを常に使用可能となる。また、プラグの形状に適応してコ
ンセント穴の位置を自在に変更することが可能となる。
また、コンセントプラグを平面視で正方形状のブロックとし、ガイド部（又はスライド
溝）をコンセントプラグのすべての側面に形成することで、コンセントプラグを９０°回
転させてタップベースに装着することが可能となる。従って、様々な異方向のACアダプ
タなども、受け側のプラグコンセントを９０°回転させることによって、同一方向に整列
して装着することが可能となる。
【発明を実施するための最良の形態】
【００１８】
本発明の実施の形態は、商用電源が供給される給電線が接続され上面の所定の場所に所定の幅と所定の深さをもった溝が形成されたケース等を有し、前記溝にそれぞれ脱着可能に取り付けられた、所定の数の端子差込部を備え溝の側面部に溝にそって端子差込部を移動させる所定の高さと所定の幅を持った移動ガイドを設け、前期端子差込部の何れの側面部にも移動ガイドと嵌合する嵌合部を整形したものである。
これにより、各々の端子差込部の位置を溝にそって自由に移動することができるとともに、差込部の向きも自由に変更して溝に取り付ける事で端子の向きが異なった複数のACアダプター等を同一方向に整列して接続できるコンセントを供給する事ができる。
また、端子差込部は溝から取り外し９０°回転させてサイド溝に取り付けることで端子差込の向きを９０°変更可能としても良い。この場合は端子の向きが９０°異なるACアダプター等を隣接した端子差込部にそれぞれ接続する場合、ACアダプター等を同一方向に整列して接続する事ができる。また、前記差込部は給電線から分岐された分岐給電線を端子差込部の所定の場所に接続して電源が供給されるようにしても良い。この場合はそれぞれの端子差込部への電源の供給を給電線から分岐された分岐給電線により容易に行う事ができる。また前記端子差込部は、勘合部の対角上の所定の場所に電源の供給を受ける一対の受電部を設け、端子差込部を溝に取り付けた状態で、前記受電部と接する移動ガイドの所定の場所に、電源を供給して端子差込部に電源を供給しても良い。
この場合それぞれの端子差込部への電源の供給を移動ガイドと接している受電部から行う事ができるとともに、端子差込部の向きを変更しても確実に電源を供給できる。そして、前記ケースの上面の所定の場所に固定式の所定の数の端子差込部を配置することでコンセントの使い勝手を大いに高める事ができる。
【実施例１】
【００１９】
図１は、本発明の実施例１に係るテーブルタップの斜視図である。図２は、実施例１に
係るテーブルタップの正面図である。  図１において、本実施例１に係るテーブルタップは、
タップベース１、コンセントプラグ２、及びタップベース１とコンセントプラグ２を電気的に接続するコード（給電線）３を備えている。  タップベース１は、コンセントに接続する電源コード４を備えており、電源コード４は壁コンセント等に接続される。タップベース１は平面視で細長い短形状に構成され、上面中央に、長平方向に一端が開放された脱着溝５が形成されている。脱着溝５には、コンセントプラグ２が挿脱される。脱着溝５の左側上面には、タップベース１に固定されたコンセント９が一列に配列されている。また、脱着溝５の両側内側壁には、レール状のガイド部６が突出形成されている。  一方、コンセントプラグ２は、平面視で正方形状のブロックに形成されている。コンセントプラグ２の上面には、1対のコンセント穴７が形成されており、これにプラグを差し込むことによりプラグに給電を行うことが可能である。また、コンセントプラグ２の四方側面には、凹溝上のスライド溝８が形成されている。このスライド溝８を脱着溝５の両側
壁にあるガイド部６に嵌合させることにより、コンセントプラグ２を脱着溝５内に係止す
る事が可能である。また、スライド溝８はガイド部６上を摺動自在であり、コンセント
穴７に差し込まれるプラグの形状によって、各コンセントプラグ２の位置をスライドさせ
て、プラグにより他のコンセント穴７が覆い隠されないようにすることが可能となる。
さらに、コンセントプラグ２は正方形状であり、コンセントプラグ２の四方側面にスラ
イド溝８が形成されているため、コンセントプラグ２を９０°回転させた状態で脱着溝５
に装着する事ができる。従って、コンセント穴７に差し込まれるプラグの方向を自在に
調整することができる。
【実施例２】
【００２０】
図３は、本発明の実施例２に係るテーブルタップの斜視図である。図４は、実施例２に
係るテーブルタップの正面図である。  図３において、本実施例２に係るテーブルタップは、
タップベース１、コンセントプラグ２、及びタップベース１とコンセントプラグ２を電気的に接続する電極板10を備えている。
タップベース１は、コンセントに接続する電源コード４備えており、電源コード４は
壁コンセント等に接続される。タップベース１は平面視で細長い短形状に構成され、上面
中央に、長平方向に一端が開放された脱着溝５が形成されている。脱着溝５には、コンセ
ントプラグ２が挿脱される。
一方、コンセントプラグ２は、平面視で正方形状のブロックに形成されている。コンセ
ントプラグ２の上面には、1対のコンセント穴７が形成されており、これにプラグを差し
込むことによりプラグに給電を行うことが可能である。また、、コンセント穴７に差し込まれるプラグの形状によって、各コンセントプラグ２の位置をスライドさせて、プラグにより他のコンセント穴７が覆い隠されないようにすることが可能となる。
さらに、コンセントプラグ２は正方形状であり、コンセントプラグ２の四方側面にスラ
イド溝８が形成されているため、コンセントプラグ２を９０°回転させた状態で脱着溝５
に装着する事ができる。従って、コンセント穴７に差し込まれるプラグの方向を自在に
調整することができる。
【図面の簡単な説明】
【００２１】
【図１】本発明の実施例１に記載のテーブルタップの斜視図である。
【図２】実施例１に係るテーブルタップの正面図である。
【図３】本発明の実施例２に記載のテーブルタップの斜視図である。
【図４】実施例１に係るテーブルタップの正面図である。
【図５】実施例２に係るコンセントプラグの平面図である。
【符号の説明】
【００２２】
タップベース１
コンセントプラグ２
コード３
電源コード４
脱着溝５
ガイド部６
コンセント穴７
スライド溝８
コンセント９
電極版10
【図３】
2006310284.tif 000003
【図４】
2006310284.tif 000004
【図５】
2006310284.tif 000005
【図１】
2006310284.tif 000006
【図２】
2006310284.tif 000007